(57)【特許請求の範囲】
【請求項１】
ペットに装着する胴輪付きリードであって、
ペットの首下前部から両前足の間を通り胸部を覆う形状の主要布と、リード紐と、補助紐と、前記リード紐のサイズ調整具で構成し、
前記リード紐の一端は前記主要布の両肩の部分と各々固定し、前記サイズ調整具より後ろの位置でリード紐同士を接続し、
前記補助紐の一端は前記主要布の両胸側部と各々固定し、他端は前記リード紐と各々固定又は移動可能に接続し、
前記リード紐の前記補助紐を固定又は移動可能に接続した部分より後ろの位置に前記サイズ調整具を配置し、前記サイズ調整具を動かすことにより、脱着及び胴輪部分の大きさの調整を可能とすることを特徴とする胴輪付きリード。
【請求項２】
前記リード紐が、前記主要布のほぼ首下前部を通るように延長されたリード紐延長部を更に有しており、前記リード紐延長部は、前記リード紐の前記主要布の両肩の部分との固定部側の端部同士をつなぐように、前記固定部からほぼ首下前部を通っていて、その少なくとも一部が前記主要布に固定されているリード紐延長部である請求項１に記載の胴輪付きリード。
【請求項３】
前記補助紐が、前記主要布の胸部を通るように延長された補助紐延長部を更に有しており、前記補助紐延長部は、前記補助紐の前記主要布の両胸側部との固定部側の端部同士をつなぐように、前記固定部からほぼ胸部を通っていて、その少なくとも一部が前記主要布に固定されている補助紐延長部である請求項１に記載の胴輪付きリード。
【請求項４】
前記補助紐が、前記主要布の胸部を通るように延長された補助紐延長部を更に有しており、前記補助紐延長部は、前記補助紐の前記主要布の両胸側部との固定部側の端部同士をつなぐように、前記固定部からほぼ胸部を通っていて、その少なくとも一部が前記主要布に固定されている補助紐延長部である請求項２に記載の胴輪付きリード。
【請求項５】
前記リード紐延長部が、前記主要布を構成する表生地と裏生地の間に挟み込まれてその少なくとも一部が前記主要布に固定されている請求項２に記載の胴輪付きリード。
【請求項６】
前記リード紐延長部が、前記主要布を構成する表生地と裏生地の間に挟み込まれてその少なくとも一部が前記主要布に固定されている請求項４に記載の胴輪付きリード。
【請求項７】
前記リード紐延長部が、前記主要布を構成する表生地側の表側、又は裏生地のペット肌側に形成されており、その少なくとも一部が前記主要布に固定されている請求項２に記載の胴輪付きリード。
【請求項８】
前記リード紐延長部が、前記主要布を構成する表生地側の表側、又は裏生地のペット肌側に形成されており、その少なくとも一部が前記主要布に固定されている請求項４に記載の胴輪付きリード。
【請求項９】
前記補助紐延長部が、前記主要布を構成する表生地と裏生地の間に挟み込まれてその少なくとも一部が前記主要布に固定されている請求項３、４、６、又は８の何れか１項に記載の胴輪付きリード。
【請求項１０】
前記補助紐延長部が、前記主要布を構成する表生地側の表側、又は裏生地のペット肌側に接する側に形成されており、その少なくとも一部が前記主要布に固定されている請求項３、４、６、又は８の何れか１項に記載の胴輪付きリード。
【請求項１１】
前記リード紐延長部が、リード紐と連続している一体の紐から形成されている請求項２、４〜８の何れか１項に記載の胴輪付きリード。
【請求項１２】
前記補助紐延長部が、補助紐と連続している一体の紐から形成されている請求項３、４、６又は８の何れか１項に記載の胴輪付きリード。
【請求項１３】
前記サイズ調整具はピンチであり、前記ピンチを開くことにより、胴輪部分の大きさ調整が可能である請求項１〜１２の何れか１項に記載の胴輪付きリード。
【請求項１４】
前記ピンチが、金属製、プラスチック製、合成皮革製、又は、天然皮革製のピンチである請求項１３に記載の胴輪付きリード。
【請求項１５】
更に前記ピンチの外側を覆う可撓性を有するピンチカバーが設けられている請求項１３又は１４のいずれか1項に記載の胴輪付きリード。
【請求項１６】
前記ピンチカバーが、エラストマー、ゴム、軟質樹脂、天然皮革、合成皮革、又は布から選ばれた素材からなる請求項１５に記載の胴輪付きリード。
【請求項１７】
前記主要布を展開したとき、ペットの首下前部と胸部を覆う部分は相対的に広く、両前足の位置は相対的に狭く形成されている請求項１〜１６の何れか１項に記載の胴輪付きリード。
【発明の詳細な説明】
【技術分野】
【０００１】
本発明は、犬、猫、猿などのペット用胴輪付きリードに関する。
【背景技術】
【０００２】
従来からペットのハーネスとしては、首輪ベルトと胴輪ベルトを一体化したハーネスが一般的に使用されている。引用文献１の図３には、首輪ベルトと胴輪ベルトを背中部で一体化するとともに、胸の位置で首輪ベルトと胴輪ベルトを接続するベルトが提案されている。しかし、このようなハーネスは首輪も胴輪もベルトで構成されているため、ペットの首や胴に食い込みストレスになる問題があった。
【０００３】
引用文献２の図９には、比較的幅の広い胸ベルトに首輪ベルトと胴輪ベルトを一体化し、背中部では背ベルトを用いて首輪ベルトと胴輪ベルト一体化し、車両に乗せるペットをシートベルトで固定する提案がされている。また、特許文献３には、同様に車両に乗せるペットをシートベルトで固定する目的で、脇に開閉部があるベストの胴部にベルトを巻いたハーネスが提案されている。しかし、特許文献２〜３のハーネスは、車両の安全ベルト用であり、散歩に使うには不便であった。
【特許文献１】特許第２５０６２８５号公報
【特許文献２】特開２００５−３３５５１５号公報
【特許文献３】実用新案登録第３１３２０７７号公報
【発明の開示】
【発明が解決しようとする課題】
【０００４】
本発明は、前記従来の問題を改善するため、ペットを柔らかく包み、ペットへの脱着が容易な胴輪付きリードを提供する。また、リード紐のサイズ調整具がピンチであって、更にその外側を覆うピンチカバーを具備する本発明の好ましい態様においては、ペットの皮膚や毛を傷めることなくペットへの脱着が容易な胴輪付きリードを提供する。
【課題を解決するための手段】
【０００５】
本発明の胴輪付きリードは、ペットに装着する胴輪付きリードであって、ペットの首下前部から両前足の間を通り胸部を覆う形状の主要布と、リード紐と、補助紐と、前記リード紐のサイズ調整具で構成し、前記リード紐の一端は前記主要布の両肩の部分と各々固定し、前記サイズ調整具より後ろの位置でリード紐同士を接続し、前記補助紐の一端は前記主要布の両胸側部と各々固定し、他端は前記リード紐と各々固定し、前記リード紐の前記補助紐を固定又は接続した部分より後ろの位置に前記サイズ調整具を配置し、前記サイズ調整具を動かすことにより、脱着及び胴輪部分の大きさの調整を可能とすることを特徴とする。
【発明の効果】
【０００６】
本発明は、主要布はペットの首下前部から両前足の間を通り胸部を覆う形状であることにより、ペットを柔らかく包むことができ、首や胴に食い込むことはない。また、リード紐の一端は主要布の両肩の部分と各々固定し、サイズ調整具より後ろの位置でリード紐同士を接続し、補助紐の一端は主要布の両胸側部と各々固定し、他端はリード紐と各々固定し、リード紐の補助紐を固定又は接続した部分より後ろの位置にサイズ調整具を配置し、サイズ調整具を動かすことにより、脱着及び胴輪部分の大きさの調整が容易な胴輪付きリードとすることができる。
また、リード紐のサイズ調整具がピンチであって、前記ピンチの外側を覆う可撓性を有するピンチカバーが更に設けられている本発明の好ましい態様においては、一層、ペットの皮膚や毛を傷めることなく、ペットへの脱着が容易な胴輪付きリードを提供できる。
【発明を実施するための最良の形態】
【０００７】
本発明において、胴輪付きリードとは、ペットに装着する胴輪と、リード紐を一体化したものをいう。リード紐は、散歩などに便利な所定の長さがあればよく、人の手で把持できるグリップ部分があっても良い。
【０００８】
本発明の胴輪付きリードは、ペットの首下前部から両前足の間を通り胸部を覆う形状の主要布と、リード紐と、補助紐と、リード紐のサイズ調整具で構成する。主要布は、展開したとき、ペットの首下前部と胸部を覆う部分は両前足が位置する部分に比べて相対的に広く、両前足の位置は首下前部と胸部を覆う部分と比べて相対的に狭く形成されているのが好ましい。このような形状であれば、ペットを柔らかく包むことができる。主要布の材料は、織物、編み物、不織布、綿入れキルティング布、メッシュ生地、革、合成皮革、人工皮革又はこれらの組み合わせなど、いかなるものであってもよい。縁部には適宜装飾布を縫い合わせてもよい。
【０００９】
リード紐の一端は主要布の両肩の部分と各々固定し、サイズ調整具より後ろの位置でリード紐同士を接続し、補助紐の一端は主要布の両胸側部と各々固定し、他端はリード紐と各々固定又は移動可能に接続する。そして、リード紐の補助紐を固定又は接続した部分より後ろの位置にサイズ調整具を配置し、サイズ調整具を動かすことにより、胴輪付きリードをペットに装着したり脱離できる。すなわち、サイズ調整具は補助紐とリード紐同士の接続部の間を動かすことができ、リード紐同士の接続部まで動かしたときが最もループが大きくなる。この状態でペットに装着したり脱離する。また、サイズ調整具を補助紐に近い位置まで動かすと最もループが短くなり、しっかりとペットに装着できる。この状態で散歩に使う。前記において、ループは、主要布とリード紐同士の接続部までに形成される。
【００１０】
サイズ調整具はピンチが好ましく、ピンチを開くことにより、胴輪部分の大きさの調整ができる。このピンチは、ワンタッチで固定と移動ができる。ピンチはまたクリップとも呼ばれている。
【００１１】
リード紐及び／又は補助紐は、主要布の領域内に延長して伸ばし、その少なくとも一部を、好ましくは延長部の縁全部を主要布と固定し一体化してもよい。このようにすると胴輪の補強ができ、特に限定するものではないが大型犬などの歩く力の強いペット用に好適である。なお、リード紐及び／又は補助紐、更にはこれらの延長部は、編み物、織物、組み紐、革、合成皮革、人工皮革などのベルトからなるものが好ましい。リード紐、補助紐並びにこれらの延長部などの幅は、素材の種類にもよるが、特に限定するものではないが１〜３ｃｍ程度が好ましく、厚さは１〜５ｍｍ程度が好ましい。
【００１２】
前記リード紐に延長部を設ける場合には、主要布の首下前部とその左右の両肩部間を通るように設けられる。すなわち、前記リード紐延長部は、前記リード紐が前記主要布の両肩の部分で主要布に固定されているリード紐の固定部側の端部同士をつなぐように、前記固定部からほぼ首下前部を通っている。リード紐延長部は、その一部が前記主要布に縫製などにより固定されていてもよいが、その長手方向の両縁全部が縫製などにより前記主要布に固定されていることが好ましい。
【００１３】
リード紐延長部を部分的に主要布に固定する場合は、その両端部と共に少なくとも１箇所その中間部を主要布に例えば縫製などにより固定することが好ましい。但し、リード紐延長部がリード紐と連続している一体の紐から形成されている場合には、リード紐が主要布の両肩の部分で主要布に固定されているので、これに連なるリード紐延長部の両端部に相当する部分は、主要布に固定されていなくてもよい。
【００１４】
また、リード紐延長部をリード紐と一体に連続した紐ではなく、別体の紐で形成する場合において、リード紐延長部の両端と少なくとも１箇所の中間部は主要布に固定されることが必要であるが、この場合、リード紐延長部を少し長めにして、リード紐端部と重なるようにし、リード紐を主要布の両肩部で主要布に縫製などにより固定する際に、リード紐延長部の両端部も合わせて当該縫合などで固定するようにしてもよい。
【００１５】
同様に、補助紐に延長部を設ける場合には、主要布の胸部を通るように設けられる。すなわち、前記補助紐延長部は、前記補助紐が前記主要布の両胸側部で主要布に固定されている固定部側の端部同士をつなぐように、前記固定部からほぼ胸部を通っている。補助紐延長部はその一部が前記主要布に縫製などにより固定されていてもよいが、その長手方向の両縁全部が縫製などにより前記主要布に固定されていることが好ましい。
【００１６】
補助紐延長部を部分的に主要布に固定する場合は、その両端部と共に少なくとも１箇所その中間部を主要布に例えば縫製などにより固定することが好ましい。但し、補助紐延長部が補助紐と連続している一体の紐から形成されている場合には、補助紐が主要布の両胸側部の部分で主要布に固定されているので、これに連なる補助紐延長部の両端部に相当する部分は、主要布に固定されていなくてもよい。
【００１７】
また、補助紐延長部を補助紐と一体に連続した紐ではなく、別体の紐で形成する場合において、補助紐延長部の両端と少なくとも１箇所の中間部は主要布に固定されることが必要であるが、この場合、補助紐延長部を少し長めにして、補助紐端部と重なるようにし、補助紐を主要布の両胸側部で主要布に縫製などにより固定する際に、補助紐延長部の両端部も合わせて当該縫合などで固定するようにしてもよい。
【００１８】
また、前記リード紐延長部及び／又は補助紐延長部は、前記主要布を構成する表生地と裏生地の間に挟み込まれてその少なくとも一部が前記主要布に固定されていることが、見栄えもよく、あるいはペットにリード紐延長部及び／又は補助紐延長部が直接当接しないのでペットへの感触を和らげることができ好ましいが、必要に応じ前記リード紐延長部及び／又は補助紐延長部が、前記主要布を構成する表生地側の表側、又は裏生地のペット肌側に接する側に形成されており、その少なくとも一部が前記主要布に固定されている態様としてもよい。
【００１９】
前記リード紐延長部又は補助紐延長部は、それぞれリード紐や補助紐と切れ目なく、リード紐や補助紐と連続した一体の紐から形成されていることが、繋ぎ目がないと言う点で強度の観点から好ましく、また、別々にリード紐本体部とその延長部又は補助紐本体部とその延長部を設ける場合に比べて製造の手間が少なくなる観点からも好ましい。
勿論、リード紐本体部の構成素材とその延長部の構成素材を別のものにしたい場合又は補助紐本体部の構成素材とその延長部の構成素材を別のものにしたい場合は、本体部と延長部との繋ぎ目がある態様とすることが簡便である。
前記リード紐延長部又は補助紐延長部の紐の幅は、リード紐本体部と又は補助紐本体部と同様であってもよいし、目的に応じて、太くしたり、細くしてもよい。また、前記リード紐延長部又は補助紐延長部の紐の厚さは、リード紐本体部と又は補助紐本体部と同様であってもよいし、目的に応じて、厚くしたり、薄くしてもよい。
【００２０】
サイズ調整具の代表例としてのピンチについて説明する。
ピンチは、金属製ピンチが強度の面や、機能の面で好ましいが、金属製に限定されるものではなく、プラスチック製、合成皮革製、又は、天然皮革製のピンチなど、ピンチ開閉によりリード紐胴輪部分の大きさの調整が可能で、調整後胴輪部分の大きさが保持固定できる機能が発揮できるものであれば特に限定されない。
【００２１】
図８〜図１２は、サイズ調整具のうちの、ピンチの一実施形態例を説明するための図面であり、図８が金属製ピンチの平面図、図９が略斜め後から見た図８のピンチの斜視図、図１０は略斜め前から見た図８のピンチの斜視図、図１１も図９と同様の斜視図であるが、内部のバネも鎖線で示した斜視図、図１２は前記ピンチの左右の本体部片を回動可能に結合する回動軸体とそこに用いられているバネのみを示した斜視図で、図１２（Ａ）がピンチ本体への取り付け前の状態、図１２（Ｂ）がピンチ本体への取り付け完了した状態を示す斜視図（図１２（Ａ）、（Ｂ）とも、ピンチの本体部片を図示せずに回動軸とバネのみを示した斜視図）、図１３はピンチにリード紐を通した状態の説明用斜視図である。
【００２２】
この実施形態例の金属製ピンチ２０は、左右のピンチの本体部片２１ａ、２１ｂがつるまきバネ（コイルバネとも言う）２３を有する回動軸体２２で回動可能に連結されている。図１２に前記ピンチの左右の本体部片を回動可能に結合する回動軸体とそこに用いられているバネのみを示した。左右の本体部片２１ａ、２１ｂの図示は省略している。回動軸体２２を、図示していない左右のピンチの本体部片２１ａ、２１ｂのそれぞれの片方側の回動軸体受穴に差込み、更に図１２（Ａ）に示すように回動軸体２２を取り巻くように、回動軸体２２につるまきバネ２３を取り付け、回動軸体２２の一端２２ａを、図示していない左右のピンチの本体部片２１ａ、２１ｂのそれぞれの回動軸体受穴（上述の受穴と対抗する位置にあるもう一方側の受穴）に通し、図１２（Ｂ）に示すように回動軸体２２の一端２２ａをかしめてかしめ端２２ｂとして回動軸体２２とつるまきバネ２３を左右のピンチの本体部片２１ａ、２１ｂに取り付け、左右のピンチの本体部片２１ａ、２１ｂを回動可能に結合する。つるまきバネ２３の両方の長く伸びた端部２４ａ、２４ｂはそれぞれ、左右のピンチの本体部片２１ａ、２１ｂをその裾部２５が開き、頭部２６の歯２９ａ、２９ｂ（図１０参照）の間が閉まる方向に付勢できるよう左右のピンチの本体部片２１ａ、２１ｂの裾部２５の上端にそれぞれ止められている。
【００２３】
尚、頭部２６の歯２９ａ、２９ｂ（図１０参照）は、リード紐１ａ、１ｂを挟んですべりを止め、リード紐１ａ、１ｂの長さの調整により、胴輪の大きさを調整した後にその大きさを保持するためのリード紐１ａ、１ｂを挟むための歯である。
【００２４】
胴輪の大きさを調整するためリード紐１ａ、１ｂの長さ調整を行う時には、図８の矢印２７の方向に裾部２５を指でつまんで回動軸体２２を軸として左右のピンチの本体部片２１ａ、２１ｂを回動させることにより頭部２６の歯２９ａ、２９ｂの間を図８の矢印２８の方向に開いて、リード紐１ａ、１ｂを挟む力を緩めて長さ調整を行う。
以上、ピンチの具体例を一例を挙げて説明したが、ピンチは、上記で説明したもののみに限定されるものではなく、リード紐１ａ、１ｂがその中を通すことができ、長さ調整のためにリード紐１ａ、１ｂを挟む力を緩めたり強めたりすることができるピンチ（クリップ）であれば特に限定されないし、もちろん、ピンチ以外のサイズ調整具を使用することは本発明の目的を阻害しない限り差支えない。
尚、後述する実施例においては、長さ調整具としては、上記で説明したような金属製ピンチを用いた。
【００２５】
ピンチを用いる場合に、ペットの皮膚や毛を傷めないように、ピンチの外側を覆う可撓性を有するピンチカバーを更に使用することが一層好ましい。
ピンチカバーとしては、ピンチの頭部と裾部に相当する位置に設けられたリード紐を通すための開口部を除いてピンチの外側を覆う可撓性を有するカバーである。
【００２６】
図１４〜図１９は、図８〜１３で説明したピンチを用いる場合を例とした、ピンチカバーの一実施形態例を説明するための図面であり、図１４がピンチカバーの略斜め後側から見た斜視図、図１５が前記ピンチカバーの略斜め前側から見た斜視図、図１６がその平面図で図１６中点線で示した部分は側壁とピンチ脱落防止用壁の位置を示している。図１７は平面図と同じ状態にピンチカバーを置いた状態で厚さの中間で水平に切断した場合の断面の端面図である。図１８はこのピンチカバーに図８〜１３で説明したピンチを挿入した状態を説明するための平面図（但し、ピンチの左右の頭部（歯）が若干開いた状態）である。図１９はこのピンチカバーに図８〜１３で説明したピンチを挿入した状態で、リード紐も装着した状態を説明するための略斜め後から見た斜視図である。
【００２７】
図１４〜図１９に示したピンチカバー３０は、上下面板３１ａ、３１ｂと、左右の側壁３２ａ、３２ｂからなり、上下面板３１ａ、３１ｂは、頭部側が狭くなった略台形形状をしている。ピンチカバー頭部側にはリード紐１ａ、１ｂを通すための頭部側開口３３（図１５、図１７参照）が開けられており、裾側にはピンチを挿入しまたリード紐１ａ、１ｂを引き出すための裾部側開口３４（図１４、図１７参照）が開けられており、また、左右の裾側にはピンチカバーにピンチを挿入した後、ピンチが抜け落ちないようにピンチ２０の本体部片２１ａ、２１ｂのそれぞれの裾部２５を保持するためのピンチ脱落防止用壁３５ａ、３５ｂが形成されている。
【００２８】
ピンチカバー３０にピンチ２０を装着するには、ピンチカバー３０は可撓性を有する素材で構成されているので、裾部側開口３４側からピンチ２０を押し込むことができ、ピンチを挿入した後、ピンチが抜け落ちないようにピンチ２０の本体部片２１ａ、２１ｂのそれぞれの裾部２５をピンチ脱落防止用壁３５ａ、３５ｂで保持させる（図１９など参照）。
【００２９】
ピンチカバー３０を装着したまま、胴輪の大きさを調整するためリード紐１ａ、１ｂの長さ調整を行う時には、図８の矢印２７の方向に裾部２５を指でつまんで回動軸体２２を軸として左右のピンチの本体部片２１ａ、２１ｂを回動させたと同様のことを、ピンチカバー３０をしたままピンチカバー３０の上から行えばよい。すなわち、ピンチカバー３０は可撓性を有する素材から構成されているので、ピンチカバー３０を装着したままでも、容易にピンチの開閉を行うことができる。
また、ピンチカバー３０からピンチ２０を取り外したい場合には、ピンチカバー３０は可撓性を有する素材で構成されているので、ピンチ脱落防止用壁３５ａ、３５ｂを、指で変形させて容易に取り外すことができる。
【００３０】
ピンチカバーを構成する可撓性を有する素材としては、例えば、弾性体、軟質樹脂、布、革、合成皮革及び人工皮革から選ばれる少なくとも一つが好ましい。比較的柔らかい材料であればペットに対してやさしいからである。弾性体は、ゴム又はエラストマーがある。ゴムとしてはシリコーンゴム、フッ素ゴム、合成ゴム、天然ゴム等が使用できる。エラストマーとしては、スチレン系、オレフィン系、塩ビ系、ウレタン系、エステル系、ポリアミド系、フッ素系、塩素化ポリエチレン系等がある。これらのエラストマーは「プラスチックデータブック」１９９９年１２月１日（２００６年１月２０日初版第２刷）発行、工業調査会、８５４〜９１０頁に記載されている。軟質樹脂としては、ウレタン樹脂、塩ビ樹脂、ポオレフィン発泡体樹脂等がある。布としては、織物、編み物、不織布等がある。革は、牛、馬、豚など天然の革がある。合成皮革、人工皮革は市販品を使用できる。
【００３１】
以上のように、ピンチにピンチカバーを装着させて使用することにより、ペットの皮膚や毛を傷めることなくペットへの脱着が容易な胴輪付きリードとすることができ好ましい。
【００３２】
ピンチカバーの形状や構造は、上記で説明したものに限定されるものではなく、用いるピンチの形状構造に応じてそれに適合するように変えればよい。ピンチカバーとしては可撓性があり、ピンチをその中に収納でき、リード紐を通すことができ、ピンチがピンチカバーから外にはみ出さないものであればよい。
【実施例】
【００３３】
以下、実施例を用いてさらに具体的に本発明を説明する。なお、本発明は下記の実施例に限定されるものではない。
【００３４】
（実施例１）
本発明の一実施例のハーネスを図面により説明する。図１は本発明の一実施例における胴輪付きリードを犬に装着したときの斜視図、図２は同、展開図である。この胴輪付きリード１０は、ペットの首下前部３ａから両前足９ａ，９ｂの間３ｃを通り胸部３ｂを覆う形状の主要布３と、リード紐１，１ａ，１ｂと、補助紐４ａ，４ｂと、リード紐のサイズ調整具８で構成されている。主要布３は、図２に示すように展開したとき、ペットの首下前部３ａと胸部を覆う部分３ｂは両前足９ａ，９ｂが位置する部分３ｃに比べて相対的に広く、両前足の位置は首下前部と胸部を覆う部分と比べて相対的に狭く形成されている。これにより、ペットを柔らかく包むことができる。主要布３の材料は織物とした。リード紐１ａ，１ｂ及び補助紐４ａ，４ｂは幅１〜３ｃｍ、厚さ１〜５ｍｍの織物紐とした。
【００３５】
リード紐１ａ，１ｂの一端は主要布３の両肩部分１３ａ、１３ｂ（首下前部３ａの端部）で各々固定した。５ａ，５ｂはこの固定部である。サイズ調整具８にはリード紐１ａ，１ｂを通し、これより後ろの位置でリード紐同士を接続固定した。２はリード紐同士の接続固定部である。本実施例においては、接続固定部２は縫製により縫い付けたが、この部分の固定手段は、溶着、接着、リベットによる固定など、リード紐として使用した際に簡単に接続固定部が剥がれてしまわないような固定方法であれば、特に限定されるものではない。これにより、サイズ調整具８はリード紐同士の接続固定部２より外側には移動できなくなり、万一、犬の動きにより緩んでも外れにくいものとなる。
【００３６】
補助紐４ａ，４ｂの一端は主要布３の胸部３ｂの両胸側部１４ａ、１４ｂと各々固定した。６ａ，６ｂはこの固定部である。補助紐４ａ，４ｂの他端は、リード紐１ａ，１ｂと各々固定又は移動可能に接続する。本実施例においては、縫製により縫い付けて固定した。７ａ，７ｂは補助紐４ａ，４ｂとリード紐１ａ，１ｂの固定部である。
【００３７】
サイズ調整具８にはリード紐１ａ，１ｂを通し、補助紐の固定部７ａ，７ｂより後ろの位置であって、かつ接続固定部２の間でサイズ調整具８を動かすことにより、胴輪付きリード１０を犬に装着したり脱離でき、サイズ調整もできた。
【００３８】
具体的には、図２において、サイズ調整具８を手前に引き、犬の首を主要布３とリード紐１ａ，１ｂの中にくぐらせ、前足を９ａ，９ｂの部分に入れ、サイズ調整具８を締める方向に動かして装着した。また脱離させる場合は、逆の操作でできた。
【００３９】
サイズ調整具は本実施例では図８〜図１３を用いて説明した金属製ピンチを使用した。この金属製ピンチは、先端を開くことにより動き、胴輪部分のサイズ調整が容易であり、ワンタッチで固定と移動ができた。なお、ピンチは金属製以外に、他の素材からなるピンチを使用してもよい。
【００４０】
以上のとおり、本発明の実施例の胴輪付きリードは、ペットを柔らかく包み、首や胴に食い込むことはない。また、ペットへの脱着が容易な胴輪付きリードとすることができる。
【００４１】
（実施例２）
本発明の別の一実施例のハーネスを図面により説明する。図３は本発明の別の一実施例における胴輪付きリードを犬に装着したときの斜視図、図４は同、展開図である。実施例１と異なる点は、リード紐が、ほぼ首下前部を通るように延長されたリード紐延長部を更に有している点である。尚、実施例１と同じ部分は、同一の符号を付して、重複説明を省略している。
【００４２】
この態様の胴輪付きリード１０は、前記リード紐にリード紐延長部１ｄが設けられている。すなわち、前記リード紐延長部１ｄは、前記主要布３の両肩の部分１３ａ、１３ｂの前記リード紐１ａ、１ｂとの固定部５ａ、５ｂ側の端部同士をつなぐように、前記固定部５ａ、５ｂからほぼ首下前部３ａを通って設けられている。この実施例ではリード紐延長部１ｄは、前記主要布３を構成する表生地と裏生地の間に挟み込まれてリード紐延長部１ｄの長さ方向の両縁全部が縫製により前記主要布に固定されている。リード紐延長部１ｄの両縁の縫製ラインを１１ａ、１１ｂで示した。尚、この実施例では、リード紐延長部１ｄは、リード紐１ａ、１ｂと一体の紐から形成されているもの、すなわちリード紐１ａ、１ｂとリード紐延長部１ｄとは連続した一体の紐であって、リード紐１ａ、１ｂとリード紐延長部１ｄとが別個の紐から構成されておらず、したがってこの両者間に繋ぎ目がない一体連続紐を用いた。そして、この実施例では、リード紐１ａ、１ｂの固定部５ａ、５ｂも、主要布３を構成する表生地と裏生地の間に挟み込まれて縫合により主要布３に固定されている構造とした。
【００４３】
これにより、ペットを柔らかく包むことができると共に、胴輪の首回り部の補強ができた。なお、主要布３の材料は織物とした。リード紐１ａ，１ｂ、リード紐延長部１ｄ及び補助紐４ａ，４ｂは幅１〜３ｃｍ、厚さ１〜５ｍｍの織物紐とした。
【００４４】
リード紐１ａ，１ｂのリード紐延長部１ｄとの境界近傍は主要布３の両肩部分１３ａ、１３ｂ（首下前部３ａの端部）の固定部５ａ，５ｂで、図示したように、縁以外も縫合する縫合形態により主要布３に縫合して補強した態様としたが、この部分の縫合形態は、リード紐延長部１ｄの両縁の縫製ライン１１ａ、１１ｂと同様の縫合形態としてもよい。
【００４５】
以上のとおり、本発明の実施例の胴輪付きリードは、ペットを柔らかく包み、首や胴に食い込むことはない。そして胴輪の首回り部の補強ができた。また、ペットへの脱着が容易な胴輪付きリードとすることができた。
【００４６】
（実施例３）
本発明の更に別の一実施例のハーネスを図面により説明する。図５は本発明の更に別の一実施例における胴輪付きリードを犬に装着したときの斜視図、図６は同、展開図である。実施例２と異なる点は、補助紐が、更に胸部を通るように延長された補助紐延長部が設けられている点である。尚、実施例１、２と同じ部分は、同一の符号を付して、重複説明を省略している。
【００４７】
この態様の胴輪付きリード１０は、補助紐４ａ、４ｂに補助紐延長部４ｄが設けられている。すなわち、前記補助紐延長部４ｄは、前記主要布３の胸部３ｂの両胸側部１４ａ、１４ｂ同士をつなぐように、固定部６ａ、６ｂからほぼ胸部３ｂを通って設けられている。この実施例では補助紐延長部４ｄは、前記主要布３を構成する表生地と裏生地の間に挟み込まれて補助紐延長部４ｄの長さ方向に沿って、その両縁全部が縫製により前記主要布に固定されている。補助紐延長部４ｄの両縁の縫製ラインを１２ａ、１２ｂで示した。尚、この実施例では、補助紐延長部４ｄは、補助紐４ａ、４ｂと一体の紐から形成されているもの、すなわち補助紐４ａ、４ｂと補助紐延長部４ｄとは連続した一体の紐であって、補助紐４ａ、４ｂと補助紐延長部４ｄとが別個の紐から構成されておらず、したがってこの両者間に繋ぎ目がない一体連続紐を用いた。そして、この実施例では、補助紐４ａ、４ｂの固定部６ａ、６ｂも、主要布３を構成する表生地と裏生地の間に挟み込まれて縫合により主要布３に固定されている構造とした。なお、本実施例では、実施例２と同様にリード紐延長部１ｄも有している。
【００４８】
これにより、ペットを柔らかく包むことができると共に、胴輪の首回り部並びに胸回り部の補強ができた。なお、主要布３の材料は織物とした。リード紐１ａ，１ｂ、リード紐延長部１ｄ及び補助紐４ａ，４ｂ、補助紐延長部４ｄは幅１〜３ｃｍ、厚さ１〜５ｍｍの織物紐とした。
【００４９】
補助紐４ａ，４ｂと補助紐延長部４ｄとの境界近傍は主要布３の胸部３ｂの両胸側部６ａ、６ｂの固定部で更に主要布３に縫合して補強した態様としたが、補助紐延長部４ｄの両縁の縫製ライン１２ａ、１２ｂのみとして、固定部６ａ，６ｂを省略してもよい。
【００５０】
以上のとおり、本発明の実施例の胴輪付きリードは、ペットを柔らかく包み、首や胴に食い込むことはない。そして胴輪の首回り部並びに胸回り部の補強ができた。また、ペットへの脱着が容易な胴輪付きリードとすることができた。
【００５１】
（実施例４）
本発明の更に別の一実施例のハーネスを図面により説明する。図７は本発明の更に別の一実施例における胴輪付きリードの展開図である。実施例３と異なる点は、リード紐延長部１ｄと補助紐延長部４ｄの主要布に固定される縫合態様を実施例３と異なり、それぞれの両端部は、実施例３と同様であるが、リード紐延長部１ｄと補助紐延長部４ｄの中間部分が、その両縁全部が縫製により前記主要布に固定されているものとせずに、部分的に縫合する態様としたものであり、その他は、全て実施例３と同一であるので、実施例３と同一部分は説明を省略している。尚、実施例１、２、３と同じ部分は、同一の符号を付して、重複説明を省略している。
【００５２】
本実施例では、リード紐延長部１ｄの中間部分の主要布に固定される縫合態様を固定部１５の如く、リード紐延長部１ｄの長手方向のほぼ中央部に設け、補助紐延長部４ｄの中間部分の主要布に固定される縫合態様を固定部１６ａ、１６ｂの如く、２箇所に設けた態様としたものである。
勿論、目的や必要に応じて、固定部の位置を別の位置にしたり、固定部の数を増減することもできる。
【００５３】
以上のとおり、本発明の実施例の胴輪付きリードは、ペットを柔らかく包み、首や胴に食い込むことはない。そして胴輪の首回り部並びに胸回り部の補強ができた。また、ペットへの脱着が容易な胴輪付きリードとすることができた。
【００５４】
（実施例５）
本発明の別の一実施例のハーネスを図面により説明する。図２０は本発明の別の一実施例における胴輪付きリードを犬に装着したときの斜視図、図２１は同、展開図である。実施例１と異なる点は、サイズ調整具として用いたピンチの外側を覆う可撓性を有するピンチカバー３０が更に設けられている点である。
尚、実施例１と同じ部分は、同一の符号を付して、重複説明を省略している。
【００５５】
この態様の胴輪付きリード１０に設けられたピンチカバーは、図１４〜図１９を用いて説明した態様のピンチカバーであり、本実施例では、ピンチカバーの素材は、軟質塩化ビニル樹脂を用いた。
【００５６】
これにより、ピンチカバー３０を装着したまま、ピンチカバー３０の上からピンチを指でつまんでピンチを開くことにより、容易に胴輪の大きさを調整することができ、ピンチカバーを具備するので、ピンチでペットの皮膚や毛を挟んだり、傷めることなくペットへの脱着が容易な胴輪付きリードとすることができた。
【００５７】
以上のとおり、本発明の実施例の胴輪付きリードは、ペットを柔らかく包み、首や胴に食い込むことはない。更にピンチでペットの皮膚や毛を挟んだり、傷めることなくペットへの脱着が容易な胴輪付きリードとすることができた。
尚、ピンチカバー３０は、実施例２〜４の態様の胴輪付きリードにも装着できることはもちろんである。
【図面の簡単な説明】
【００５８】
【図１】図１は本発明の一実施例における胴輪付きリードを犬に装着したときの斜視図である。
【図２】図２は同、展開図である。
【図３】図３は本発明の別の一実施例における胴輪付きリードを犬に装着したときの斜視図である。
【図４】図４は同、展開図である。
【図５】図５は本発明の更に別の一実施例における胴輪付きリードを犬に装着したときの斜視図である。
【図６】図６は同、展開図である。
【図７】図７は本発明の更に別の一実施例における胴輪付きリードの展開図である。
【図８】図８はピンチの一実施形態例の平面図である。
【図９】図９は略斜め後から見た図８のピンチの斜視図である。
【図１０】図１０は略斜め前から見た図８のピンチの斜視図である。
【図１１】図１１は図９と同様の斜視図であって、内部のバネも鎖線で示した斜視図である。
【図１２】図１２は、図１２（Ａ）が回動軸体とバネのピンチ本体への取り付け前の状態、図１２（Ｂ）がピンチ本体への取り付け完了した状態を示す斜視図である。（但し、ピンチ本体の図示は省略。）
【図１３】図１３はピンチにリード紐を通した状態の説明用斜視図である。
【図１４】図１４はピンチカバーの略斜め後側から見た斜視図である。
【図１５】図１５は図１４のピンチカバーの略斜め前側から見た斜視図である。
【図１６】図１６は図１４のピンチカバーの平面図である。
【図１７】図１７は同ピンチカバーの水平に切断した場合の断面の端面図である。
【図１８】図１８は同ピンチカバーにピンチを挿入した状態を説明するための平面図である。
【図１９】図１９は同ピンチカバーにピンチを挿入した状態で、リード紐も装着した状態を説明するための略斜め後から見た斜視図である。
【図２０】図２０はは本発明の更に別の一実施例における胴輪付きリードを犬に装着したときの斜視図である。
【図２１】図２１は同、展開図である。
【符号の説明】
【００５９】
１，１ａ，１ｂ，１ｃ  リード紐
１ｄ  リード紐延長部
２  リード紐同士の接続固定部
３，３ａ，３ｂ，３ｃ  主要布
４ａ，４ｂ  補助紐
４ｄ  補助紐延長部
５ａ，５ｂ，６ａ，６ｂ，７ａ，７ｂ  固定部
８  サイズ調整具
９ａ，９ｂ  犬の両前足
１０  胴輪付きリード
１１ａ、１１ｂ  リード紐延長部１ｄの両縁の縫製ライン
１２ａ、１２ｂ  補助紐延長部４ｄの両縁の縫製ライン
１３ａ、１３ｂ  主要布の肩部分
１４ａ、１４ｂ  主要布の胸側部
１５  リード紐延長部１ｄの固定部
１４ａ、１４ｂ  補助紐延長部４ｄの固定部
２０  ピンチ
２１ａ、２１ｂ  ピンチの本体部片
２２  回動軸体
２３  つるまきバネ（コイルバネとも言う）
２４ａ、２４ｂ  つるまきバネ２３の両方の長く伸びた端部
２５  裾部
２６  頭部
２７  動く方向を示す矢印
２８  動かす方向を示す矢印
２９ａ、２９ｂ  歯
３０  ピンチカバー
３１ａ、３１ｂ  上下面板
３２ａ、３２ｂ  側壁
３３  頭部側開口
３４  裾部側開口
３５ａ、３５ｂ  ピンチ脱落防止用壁
【図１】
0004906837.tif 000002
【図２】
0004906837.tif 000003
【図３】
0004906837.tif 000004
【図４】
0004906837.tif 000005
【図５】
0004906837.tif 000006
【図６】
0004906837.tif 000007
【図７】
0004906837.tif 000008
【図８】
0004906837.tif 000009
【図９】
0004906837.tif 000010
【図１０】
0004906837.tif 000011
【図１１】
0004906837.tif 000012
【図１２】
0004906837.tif 000013
【図１３】
0004906837.tif 000014
【図１４】
0004906837.tif 000015
【図１５】
0004906837.tif 000016
【図１６】
0004906837.tif 000017
【図１７】
0004906837.tif 000018
【図１８】
0004906837.tif 000019
【図１９】
0004906837.tif 000020
【図２０】
0004906837.tif 000021
【図２１】
0004906837.tif 000022